(57)【特許請求の範囲】
【請求項１】
複数の水溶液を混合した混合液について、混合される各水溶液の種類、当該各水溶液の濃度、および、当該各水溶液の混合比と、当該混合液のｐＨとの関係を記述したテーブルを格納する記憶部と、
前記テーブルに記述された内容を表示装置に表示させる表示制御部と、
オペレータから、液体クロマトグラフ分析における移動相として用いるべき混合液の組成条件の指定を受け付ける組成条件指定受付部と、
を備える、液体クロマトグラフ分析装置の制御装置であって、
前記液体クロマトグラフ分析装置が、
第１の水溶液であって濃度が異なるものをそれぞれ貯留するとともに前記第１の水溶液とは種類の異なる第２の水溶液であって濃度が異なるものをそれぞれ貯留する複数の容器と、
各容器に貯留された水溶液を吸い上げる送液ポンプと、
を備え、
前記制御装置が、
前記複数の容器の中から前記第１の水溶液を貯留する１以上の容器を選択するとともに前記第２の水溶液を貯留する１以上の容器を選択し、選択した各容器に貯留された水溶液を前記送液ポンプで吸い上げさせて混合させることによって、前記指定された組成条件の混合液を調合させる混合液調合制御部、
をさらに備える、液体クロマトグラフ分析装置の制御装置。
【請求項２】
複数の水溶液を混合した混合液について、混合される各水溶液の種類、当該各水溶液の濃度、および、当該各水溶液の混合比と、当該混合液のｐＨとの関係を記述したテーブルを格納する記憶部と、
オペレータから、液体クロマトグラフ分析における移動相として用いるべき混合液のｐＨの指定を受け付けるｐＨ指定受付部と、
前記テーブルを参照して、前記ｐＨ指定受付部が受け付けたｐＨを与える混合液の組成条件を特定する組成条件特定部と、
を備える、液体クロマトグラフ分析装置の制御装置であって、
前記液体クロマトグラフ分析装置が、
第１の水溶液であって濃度が異なるものをそれぞれ貯留するとともに前記第１の水溶液とは種類の異なる第２の水溶液であって濃度が異なるものをそれぞれ貯留する複数の容器と、
各容器に貯留された水溶液を吸い上げる送液ポンプと、
を備え、
前記制御装置が、
前記複数の容器の中から前記第１の水溶液を貯留する１以上の容器を選択するとともに前記第２の水溶液を貯留する１以上の容器を選択し、選択した各容器に貯留された水溶液を前記送液ポンプで吸い上げさせて混合させることによって、前記特定された組成条件の混合液を調合させる混合液調合制御部、
をさらに備える、液体クロマトグラフ分析装置の制御装置。
【請求項３】
複数の水溶液を混合した混合液について、混合される各水溶液の種類、当該各水溶液の濃度、および、当該各水溶液の混合比と、当該混合液のｐＨとの関係を記述したテーブルを記憶部に格納する記憶工程と、
前記テーブルに記述された内容を表示装置に表示させる表示工程と、
オペレータから、液体クロマトグラフ分析における移動相として用いるべき混合液の組成条件の指定を受け付ける組成条件指定受付工程と、
を備える、液体クロマトグラフ分析装置の制御方法であって、
前記液体クロマトグラフ分析装置が、
第１の水溶液であって濃度が異なるものをそれぞれ貯留するとともに前記第１の水溶液とは種類の異なる第２の水溶液であって濃度が異なるものをそれぞれ貯留する複数の容器と、
各容器に貯留された水溶液を吸い上げる送液ポンプと、
を備え、
前記制御方法が、
前記複数の容器の中から前記第１の水溶液を貯留する１以上の容器を選択するとともに前記第２の水溶液を貯留する１以上の容器を選択し、選択した各容器に貯留された水溶液を前記送液ポンプで吸い上げさせて混合させることによって、前記指定された組成条件の混合液を調合させる混合液調合制御工程、
をさらに備える、液体クロマトグラフ分析装置の制御方法。
【請求項４】
複数の水溶液を混合した混合液について、混合される各水溶液の種類、当該各水溶液の濃度、および、当該各水溶液の混合比と、当該混合液のｐＨとの関係を記述したテーブルを記憶部に格納する記憶工程と、
オペレータから、液体クロマトグラフ分析における移動相として用いるべき混合液のｐＨの指定を受け付けるｐＨ指定受付工程と、
前記テーブルを参照して、前記ｐＨ指定受付工程で受け付けられたｐＨを与える混合液の組成条件を特定する組成条件特定工程と、
を備える、液体クロマトグラフ分析装置の制御方法であって、
前記液体クロマトグラフ分析装置が、
第１の水溶液であって濃度が異なるものをそれぞれ貯留するとともに前記第１の水溶液とは種類の異なる第２の水溶液であって濃度が異なるものをそれぞれ貯留する複数の容器と、
各容器に貯留された水溶液を吸い上げる送液ポンプと、
を備え、
前記制御方法が、
前記複数の容器の中から前記第１の水溶液を貯留する１以上の容器を選択するとともに前記第２の水溶液を貯留する１以上の容器を選択し、選択した各容器に貯留された水溶液を前記送液ポンプで吸い上げさせて混合させることによって、前記特定された組成条件の混合液を調合させる混合液調合制御工程、
をさらに備える、液体クロマトグラフ分析装置の制御方法。
【請求項５】
液体クロマトグラフ分析装置とその制御装置とを備える液体クロマトグラフ分析システムであって、
前記液体クロマトグラフ分析装置が、
第１の水溶液であって濃度が異なるものをそれぞれ貯留するとともに前記第１の水溶液とは種類の異なる第２の水溶液であって濃度が異なるものをそれぞれ貯留する複数の容器と、
各容器に貯留された水溶液を吸い上げる送液ポンプと、
を備え、
前記制御装置が、
前記第１の水溶液と前記第２の水溶液を混合した混合液について、混合される各水溶液の濃度、および、当該各水溶液の混合比と、当該混合液のｐＨとの関係を記述したテーブルを格納する記憶部と、
前記テーブルに記述された内容を表示装置に表示させる表示制御部と、
オペレータから、液体クロマトグラフ分析における移動相として用いるべき混合液の組成条件の指定を受け付ける組成条件指定受付部と、
前記複数の容器の中から前記第１の水溶液を貯留する１以上の容器を選択するとともに前記第２の水溶液を貯留する１以上の容器を選択し、選択した各容器に貯留された水溶液を前記送液ポンプで吸い上げさせて混合させることによって、前記指定された組成条件の混合液を調合させる混合液調合制御部と、
を備える、液体クロマトグラフ分析システム。
【請求項６】
液体クロマトグラフ分析装置とその制御装置とを備える液体クロマトグラフ分析システムであって、
前記液体クロマトグラフ分析装置が、
第１の水溶液であって濃度が異なるものをそれぞれ貯留するとともに前記第１の水溶液とは種類の異なる第２の水溶液であって濃度が異なるものをそれぞれ貯留する複数の容器と、
各容器に貯留された水溶液を吸い上げる送液ポンプと、
を備え、
前記制御装置が、
前記第１の水溶液と前記第２の水溶液を混合した混合液について、混合される各水溶液の濃度、および、当該各水溶液の混合比と、当該混合液のｐＨとの関係を記述したテーブルを格納する記憶部と、
オペレータから、液体クロマトグラフ分析における移動相として用いるべき混合液のｐＨの指定を受け付けるｐＨ指定受付部と、
前記テーブルを参照して、前記ｐＨ指定受付部が受け付けたｐＨを与える混合液の組成条件を特定する組成条件特定部と、
前記複数の容器の中から前記第１の水溶液を貯留する１以上の容器を選択するとともに前記第２の水溶液を貯留する１以上の容器を選択し、選択した各容器に貯留された水溶液を前記送液ポンプで吸い上げさせて混合させることによって、前記特定された組成条件の混合液を調合させる混合液調合制御部と、
を備える、液体クロマトグラフ分析システム。
【発明の詳細な説明】
【技術分野】
【０００１】
本発明は、液体クロマトグラフにおけるメソッドスカウティング（すなわち、１つの試料に対して様々な条件で分析を行って、当該試料に最適な分析条件を探し出す作業）に関する。
【背景技術】
【０００２】
液体クロマトグラフィは、液体の移動相とこれに注入した試料を、ポンプなどによって加圧してカラムを通過させ、試料中の各成分を、カラム中での固定相と移動相とそれに注入された試料との相互作用（吸着、分配、イオン交換、サイズ排除、等）の差によって分離して検出する分析手法である。
【０００３】
液体クロマトグラフによる分析を行うにあたっては、分析条件の設定が必要となる。この分析条件は、具体的には、各種の分析パラメータ（例えば、試料の注入量、移動相の種類、カラムの種類、ポンプの流量、カラムを加熱するためのカラムオーブンの温度、等）の各値を指定することにより設定される。分析条件が異なると、得られる分析結果も異なってくる。例えば、試料と移動相との組み合わせ方によっては、試料に含まれる物質が十分に分離されないこともある。つまり、最適な分析条件は、分析すべき試料の種類によって異なる。このため、実際に試料を分析するのに先立って、当該試料に対して様々な条件で分析を行って、当該試料に最適な分析条件を探し出す作業を行う必要がある（所謂、メソッドスカウティング）。【０００４】
このメソッドスカウティングは、例えば、オペレータが複数の分析条件を液体クロマトグラフ分析装置に入力し（あるいは、液体クロマトグラフ分析装置が複数の分析条件を自動で設定し）、液体クロマトグラフ分析装置において当該入力（あるいは、設定）された各分析条件での試料の分析が次々と実行され、得られた各分析結果をオペレータが比較して最適な分析条件を選択する、という一連の動作によって行われる（例えば、特許文献１参照）。
【先行技術文献】
【特許文献】
【０００５】
【特許文献１】特開２０１５−１７９２４号公報
【発明の概要】
【発明が解決しようとする課題】
【０００６】
液体クロマトグラフの分析パラメータの一つに、移動相のｐＨ（水素イオン指数）がある。試料によっては、移動相のｐＨの僅かな差で保持時間が大きく異なってくる。このため、試料に最適な移動相のｐＨをメソッドスカウティングで正確に特定しなければならない。つまり、メソッドスカウティングにおいて、移動相のｐＨを細かく変えながら分析を行って、当該試料に最適な移動相のｐＨを精度良く特定する必要がある。【０００７】
移動相のｐＨは、移動相の組成条件（具体的には、混合される各水溶液の種類（より具体的には、溶質の種類）、当該各水溶液の濃度、および、当該各水溶液の混合比）から規定される。
ただし、ｐＨは、混合される各水溶液の濃度あるいは混合比と、単純な線形関係にあるとは限らない。したがって、例えば混合比を等間隔で変えた複数の組成条件を規定しても、各組成条件で調合した混合液が、等間隔で異なるｐＨを呈するものになるとは限らない。また、混合される各水溶液の濃度および混合比とｐＨとの関係は、混合される各水溶液の種類によって変わってくる。そのため、ある水溶液の組み合わせについて、所望のｐＨを得るための混合液の組成条件を設定するにあたって、別の水溶液の組み合わせについて設定された組成条件をそのまま使用することができない。【０００８】
したがって、メソッドスカウティングにおいて、複数のｐＨのそれぞれに対応する移動相の組成条件を設定するにあたっては、使用する水溶液の組み合わせにおいて各ｐＨを得ることができるような各水溶液の濃度と混合比を、計算あるいは実験等によってひとつひとつ求める作業が必要であり、非常に手間がかかっていた。【０００９】
本発明が解決しようとする課題は、液体クロマトグラフ分析において、様々なｐＨを呈する各移動相の組成条件の設定を、容易に行うことができる技術を提供することである。
【課題を解決するための手段】
【００１０】
上記課題を解決するために成された本発明の第１の態様に係る液体クロマトグラフ分析装置の制御装置は、
複数の水溶液を混合した混合液について、混合される各水溶液の種類、当該各水溶液の濃度、および、当該各水溶液の混合比と、当該混合液のｐＨとの関係を記述したテーブルを格納する記憶部と、
前記テーブルに記述された内容を表示装置に表示させる表示制御部と、
オペレータから、液体クロマトグラフ分析における移動相として用いるべき混合液の組成条件の指定を受け付ける組成条件指定受付部と、
を備える。【００１１】
また、第２の態様に係る液体クロマトグラフ分析装置の制御装置は、
複数の水溶液を混合した混合液について、混合される各水溶液の種類、当該各水溶液の濃度、および、当該各水溶液の混合比と、当該混合液のｐＨとの関係を記述したテーブルを格納する記憶部と、
オペレータから、液体クロマトグラフ分析における移動相として用いるべき混合液のｐＨの指定を受け付けるｐＨ指定受付部と、
前記テーブルを参照して、前記ｐＨ指定受付部が受け付けたｐＨを与える混合液の組成条件を特定する組成条件特定部と、
を備える。【００１２】
第１の態様あるいは第２の態様に係る制御装置によると、複数の水溶液を混合した混合液について、混合される各水溶液の種類、当該各水溶液の濃度、および、当該各水溶液の混合比と、当該混合液のｐＨとの関係を記述したテーブルが記憶部に格納されている。
第１の態様では、当該テーブルに記述された内容が表示装置に表示される。したがって、オペレータは、そのテーブルを見て、そこにあるｐＨの中から任意のものを選択して当該ｐＨを与えることができる混合液の組成条件（具体的には、水溶液の種類（具体的には、溶質の種類）、各水溶液の濃度、および、混合比）を難なく即座に指定することができる。
また、第２の態様では、オペレータから指定されたｐＨを与える混合液の組成条件が、当該テーブルが参照されることによって自動で特定される。つまり、オペレータは、ｐＨを指定するだけで、当該ｐＨを与えることができる混合液の組成条件が自動で特定される。
このように、第１の態様あるいは第２の態様に係る制御装置においては、上述したテーブルを用いて、様々なｐＨを呈する各移動相の組成条件を、簡易且つ迅速に指定（あるいは、特定）することが可能となり、当該組成条件の設定を容易に行うことができる。【００１３】
好ましくは、第１の態様あるいは第２の態様に係る液体クロマトグラフ分析装置の制御装置において、
前記液体クロマトグラフ分析装置が、
第１の水溶液であって濃度が異なるものをそれぞれ貯留した複数の容器から成る第１容器群と、
第２の水溶液であって濃度が異なるものをそれぞれ貯留した複数の容器から成る第２容器群と、
各容器に貯留された水溶液を吸い上げる送液ポンプと、
前記送液ポンプが吸い上げた水溶液を混合する混合部と、
を備え、
前記制御装置が、
前記第１容器群の中から１以上の容器を選択するとともに前記第２容器群の中から１以上の容器を選択し、選択した各容器に貯留された水溶液を前記送液ポンプで吸い上げさせて前記混合部にて混合させることによって、前記指定あるいは前記特定された組成条件の混合液を調合させる混合液調合制御部、
をさらに備える。【００１４】
この構成によると、クロマトグラフ分析装置において、濃度が異なる水溶液が複数種類準備されており、そこから適宜の水溶液を制御装置が選択することによって移動相に用いる混合液が調合されるので、様々なｐＨを呈する各混合液が、容易かつ迅速に調合される。【００１５】
また、本発明は、液体クロマトグラフ分析装置の制御方法も対象としている。第１の態様に係る液体クロマトグラフ分析装置の制御方法は、
複数の水溶液を混合した混合液について、混合される各水溶液の種類、当該各水溶液の濃度、および、当該各水溶液の混合比と、当該混合液のｐＨとの関係を記述したテーブルを記憶部に格納する記憶工程と、
前記テーブルに記述された内容を表示装置に表示させる表示工程と、
オペレータから、液体クロマトグラフ分析における移動相として用いるべき混合液の組成条件の指定を受け付ける組成条件指定受付工程と、
を備える。【００１６】
また、第２の態様に係る液体クロマトグラフ分析装置の制御方法は、
複数の水溶液を混合した混合液について、混合される各水溶液の種類、当該各水溶液の濃度、および、当該各水溶液の混合比と、当該混合液のｐＨとの関係を記述したテーブルを記憶部に格納する記憶工程と、
オペレータから、液体クロマトグラフ分析における移動相として用いるべき混合液のｐＨの指定を受け付けるｐＨ指定受付工程と、
前記テーブルを参照して、前記ｐＨ指定受付工程で受け付けられたｐＨを与える混合液の組成条件を特定する組成条件特定工程と、
を備える。【００１７】
好ましくは、第１の態様あるいは第２の態様に係る液体クロマトグラフ分析装置の制御方法において、
前記液体クロマトグラフ分析装置が、
第１の水溶液であって濃度が異なるものをそれぞれ貯留した複数の容器から成る第１容器群と、
第２の水溶液であって濃度が異なるものをそれぞれ貯留した複数の容器から成る第２容器群と、
各容器に貯留された水溶液を吸い上げる送液ポンプと、
前記送液ポンプが吸い上げた水溶液を混合する混合部と、
を備え、
前記制御方法が、
前記第１容器群の中から１以上の容器を選択するとともに前記第２容器群の中から１以上の容器を選択し、選択した各容器に貯留された水溶液を前記送液ポンプで吸い上げさせて前記混合部にて混合させることによって、前記指定あるいは前記特定された組成条件の混合液を調合させる混合液調合制御工程、
をさらに備える。【００１８】
また、本発明は、液体クロマトグラフ分析システムも対象としている。第１の態様に係る液体クロマトグラフ分析システムは、液体クロマトグラフ分析装置とその制御装置とを備え、
前記液体クロマトグラフ分析装置が、
第１の水溶液であって濃度が異なるものをそれぞれ貯留した複数の容器から成る第１容器群と、
第２の水溶液であって濃度が異なるものをそれぞれ貯留した複数の容器から成る第２容器群と、
各容器に貯留された水溶液を吸い上げる送液ポンプと、
前記送液ポンプが吸い上げた水溶液を混合する混合部と、
を備え、
前記制御装置が、
前記第１の水溶液と前記第２の水溶液を混合した混合液について、混合される各水溶液の濃度、および、当該各水溶液の混合比と、当該混合液のｐＨとの関係を記述したテーブルを格納する記憶部と、
前記テーブルに記述された内容を表示装置に表示させる表示制御部と、
オペレータから、液体クロマトグラフ分析における移動相として用いるべき混合液の組成条件の指定を受け付ける組成条件指定受付部と、
前記第１容器群の中から１以上の容器を選択するとともに前記第２容器群の中から１以上の容器を選択し、選択した各容器に貯留された水溶液を前記送液ポンプで吸い上げさせて、前記混合部にて混合させることによって、前記指定された組成条件の混合液を調合させる混合液調合制御部と、
を備える。【００１９】
また、第２の態様に係る液体クロマトグラフ分析システムは、液体クロマトグラフ分析装置とその制御装置とを備え、
前記液体クロマトグラフ分析装置が、
第１の水溶液であって濃度が異なるものをそれぞれ貯留した複数の容器から成る第１容器群と、
第２の水溶液であって濃度が異なるものをそれぞれ貯留した複数の容器から成る第２容器群と、
各容器に貯留された水溶液を吸い上げる送液ポンプと、
前記送液ポンプが吸い上げた水溶液を混合する混合部と、
を備え、
前記制御装置が、
前記第１の水溶液と前記第２の水溶液を混合した混合液について、混合される各水溶液の濃度、および、当該各水溶液の混合比と、当該混合液のｐＨとの関係を記述したテーブルを格納する記憶部と、
オペレータから、液体クロマトグラフ分析における移動相として用いるべき混合液のｐＨの指定を受け付けるｐＨ指定受付部と、
前記テーブルを参照して、前記ｐＨ指定受付部が受け付けたｐＨを与える混合液の組成条件を特定する組成条件特定部と、
前記第１容器群の中から１以上の容器を選択するとともに前記第２容器群の中から１以上の容器を選択し、選択した各容器に貯留された水溶液を前記送液ポンプで吸い上げさせて前記混合部にて混合させることによって、前記特定された組成条件の混合液を調合させる混合液調合制御部と、
を備える。【００２０】
第１の態様あるいは第２の態様に係る各クロマトグラフ分析システムによると、第１の水溶液と第２の水溶液を混合した混合液について、混合される各水溶液の濃度、および、当該各水溶液の混合比と、当該混合液のｐＨとの関係を記述したテーブルが記憶部に格納されている。したがって、当該テーブルを用いて、様々なｐＨを呈する各移動相の組成条件を、簡易且つ迅速に指定（あるいは、特定）することが可能となり、当該組成条件の設定を容易に行うことができる。
また、第１の態様あるいは第２の態様に係る各クロマトグラフ分析システムによると、クロマトグラフ分析装置において、濃度が異なる水溶液が複数種類準備されており、そこから適宜の水溶液を制御装置が選択することによって移動相に用いる混合液が調合されるので、様々なｐＨを呈する各混合液が、容易かつ迅速に調合される。
【発明の効果】
【００２１】
この発明によると、複数の水溶液を混合した混合液について、混合される各水溶液の種類、当該各水溶液の濃度、および、当該各水溶液の混合比と、当該混合液のｐＨとの関係を記述したテーブルが記憶部に格納されており、当該テーブルを用いて、様々なｐＨを呈する各移動相の組成条件を、簡易且つ迅速に特定することができる。したがって、当該組成条件の設定を容易に行うことができる。
【図面の簡単な説明】
【００２２】
【図１】第１実施形態に係る液体クロマトグラフ分析システムの概略構成図。
【図２】ｐＨテーブルの構成例を示す図。
【図３】表示画面の構成例を示す図。
【図４】ｐＨテーブルが表示されている表示画面の構成例を示す図。
【図５】第２実施形態に係る液体クロマトグラフ分析システムの概略構成図。
【図６】表示画面の構成例を示す図。
【発明を実施するための形態】
【００２３】
以下、本発明を実施するための形態を説明する。
【００２４】
＜Ａ．第１実施形態＞
＜１．装置構成＞
第１実施形態に係る液体クロマトグラフ分析システム１００について、図１を参照しながら説明する。図１は、液体クロマトグラフ分析システム１００の概略構成を示す模式図である。
液体クロマトグラフ分析システム１００は、液体クロマトグラフ分析装置１と、制御装置２と、を備える。
【００２５】
＜液体クロマトグラフ分析装置１＞
液体クロマトグラフ分析装置１は、移動相として用いる混合液を調合する送液部１０を備える。送液部１０は、第１の水溶液が貯留された複数の容器から成る容器群（以下、「第１容器群」とも呼ぶ）１１ａ〜１１ｅと、第１の水溶液とは異なる第２の水溶液が貯留された複数の容器から成る容器群（以下、「第２容器群」とも呼ぶ）１２ａ〜１２ｅと、を備える。第１容器群１１ａ〜１１ｅの各々には、第１の水溶液であって濃度が互いに異なるものがそれぞれ貯留されている。また、第２容器群１２ａ〜１２ｅの各々には、第２の水溶液であって濃度が互いに異なるものがそれぞれ貯留されている。
第１容器群１１ａ〜１１ｅおよび第２容器群１２ａ〜１２ｅの各々は、脱気ユニット１３，１４、切替バルブ１５，１６、および、送液ポンプＰＡ，ＰＢを介して、グラジエントミキサー（混合部）１７に接続されている。
この構成において、第１容器群１１ａ〜１１ｅから選択された１以上の容器に貯留された水溶液と、第２容器群１２ａ〜１２ｅから選択された１以上の容器に貯留された水溶液とが、それぞれ送液ポンプＰＡ，ＰＢによって吸い上げられ、グラジエントミキサー１７において混合されて混合液が調合されるようになっている。この混合液が、液体クロマトグラフ分析における移動相として用いられる。
後に明らかになるように、送液部１０が備える上記の各要素は制御装置２と電気的に接続されており、制御装置２の制御下で、メソッドファイルＦに指定された組成条件の混合液が調合されるようになっている。
【００２６】
液体クロマトグラフ分析装置１は、さらに、オートサンプラ２０、カラムオーブン３０、および、検出部４０と、液体クロマトグラフ分析装置１が備える各要素１０，２０，３０，４０を制御するシステムコントローラ５０と、を備える。オートサンプラ２０は、送液部１０で調合された移動相に試料を注入する。また、カラムオーブン３０は、複数のカラム３２ａ〜３２ｆを備えており、これらを加熱する機能を有する。カラムオーブン３０には、流路切替部３１、３３が設けられており、流路切替部３１、３３により移動相の流路が切り替えられて、試料が注入された移動相が複数のカラム３２ａ〜３２ｆから選択された１のカラムに流入するようになっている。検出部４０は、例えばフォトダイオードアレイ（ＰＤＡ）等を含んで構成される検出器４１を備え、試料に含まれる成分を検出する。
【００２７】
＜制御装置２＞
制御装置２は、液体クロマトグラフ分析装置１と電気的に接続されており、システムコントローラ５０を介した分析作業の管理、検出部４０で得られたデータの解析・処理、等を行う。制御装置２は、パーソナルコンピュータをハードウエア資源とし、該パーソナルコンピュータにインストールされた専用の制御・処理ソフトウエアを実行することにより、各種の機能ブロック２１，２２，２３が具現化されている。また、制御装置２には、キーボードやマウス等からなる操作部２０１およびディスプレイ等からなる表示部２０２が接続されている。
【００２８】
制御装置２は、機能ブロックとして、分析条件設定部２１、分析制御部２２、および、データ処理部２３を備える。
分析条件設定部２１は、液体クロマトグラフ分析の分析条件（例えばメソッドスカウティングに係る複数の分析条件）の設定を行う機能ブロックであり、分析条件の設定に係る各種の画面を表示部２０２に表示させる表示制御部２１１と、移動相として用いるべき混合液の組成条件の指定を受け付ける組成条件指定受付部２１２と、メソッドファイルＦ（後述する）の管理を行うメソッドファイル管理部２１３と、を備える。
分析制御部２２は、システムコントローラ５０を介して上記の各要素１０，２０，３０，４０を制御して、分析条件設定部２１により設定された分析条件での液体クロマトグラフ分析を実行させる。
データ処理部２３は、分析制御部２２の制御下で実行された液体クロマトグラフ分析によって得られた測定データを、解析・処理する。
【００２９】
制御装置２は記憶部２００を備える。記憶部２００には、メソッドファイルＦとｐＨテーブルＴが記憶される。
【００３０】
「メソッドファイルＦ」は、分析条件を記述するためのファイルである。このファイルにおいては、１個のレコードが１個の分析条件に対応し、各レコードに、一群の設定項目（例えば、試料の種類、試料の注入量、移動相の組成条件、カラムオーブン３０の温度、カラムの種類、等）についての各設定値が記述される。
【００３１】
「ｐＨテーブルＴ」は、複数の水溶液を混合した混合液について、混合される各水溶液の種類、当該各水溶液の濃度、および、当該各水溶液の混合比と、当該混合液のｐＨとの関係を記述したものであり、実験あるいは計算等に基づいて作成される。
【００３２】
例えば、図２（ａ）に例示されるｐＨテーブルＴは、濃度が5mmol/L、10mmol/L、20mmol/L、50mmol/L、100mmol/Lの各リン酸水溶液と、濃度が5mmol/L、10mmol/L、20mmol/L、50mmol/L、100mmol/Lの各リン酸２水素ナトリウム水溶液のうち、同濃度のリン酸水溶液およびリン酸２水素ナトリウム水溶液を、様々な混合比で混合して得られる各混合液について、混合される各水溶液の濃度、および、当該各水溶液の混合比と、当該混合液のｐＨとの関係が記述されている。
このｐＨテーブルＴを見れば、例えばｐＨが「2.58」の混合液を得るためには、10mmol/Lのリン酸水溶液と10mmol/Lのリン酸２水素ナトリウム水溶液とを、混合比5：5で混合すればよいことがわかる。
【００３３】
また例えば、図２（ｂ）に例示されるｐＨテーブルＴは、濃度が5mmol/L、10mmol/L、20mmol/L、50mmol/L、100mmol/Lの各リン酸水素ナトリウム水溶液と、濃度が5mmol/L、10mmol/L、20mmol/L、50mmol/L、100mmol/Lの各リン酸水素２ナトリウム水溶液のうち、同濃度のリン酸水素ナトリウム水溶液およびリン酸水素２ナトリウム水溶液を、様々な混合比で混合して得られる混合液について、混合される各水溶液の濃度、および、当該各水溶液の混合比と、当該混合液のｐＨとの関係が記述されている。
【００３４】
また例えば、図２（ｃ）に例示されるｐＨテーブルＴは、濃度が5mmol/L、10mmol/L、20mmol/L、50mmol/L、100mmol/Lのリン酸水溶液と、濃度が5mmol/L、10mmol/L、20mmol/L、50mmol/L、100mmol/Lのリン酸水素２ナトリウム水溶液のうち、同濃度のリン酸水溶液およびリン酸水素２ナトリウム水溶液を、様々な混合比で混合した混合液について、混合される各水溶液の濃度、および、当該各水溶液の混合比と、当該混合液のｐＨとの関係が記述されている。
【００３５】
記憶部２００には、ｐＨテーブルＴが１個以上記憶される。ただし、記憶部２００には、少なくとも、送液部１０に貯留される溶液の種類と対応するｐＨテーブルＴ（すなわち、第１容器群１１ａ〜１１ｅの各々に貯留された各水溶液（濃度が異なる第１の水溶液）と、第２容器群１２ａ〜１２ｅの各々に貯留された各水溶液（濃度が異なる第２の水溶液）とを、様々な混合比で混合して得られる各混合液について、当該混合液のｐＨを記述したｐＨテーブルＴ）が記憶されている。
【００３６】
＜２．分析条件の設定＞
分析条件設定部２１が、分析条件を設定する処理の流れについて、図３、図４を参照しながら説明する。図３および図４は、表示部２０２に表示される画面の構成例である。
【００３７】
オペレータが、操作部２０１を介して、分析条件の設定を開始する旨の指示を入力すると、表示制御部２１１は、表示部２０２に、分析条件の設定に係る各種の入力操作をオペレータから受け付けるための受付画面Ｇを表示させる。
受付画面Ｇには、各種の設定項目の入力を受け付ける欄（具体的には例えば、分析対象とする試料名の入力欄、その注入量の入力欄、カラムオーブン３０の温度の入力欄、使用するカラムの種別等の指定入力欄、移動相として用いるべき混合液の組成条件の指定入力欄、等）が表示される。なお、設定項目は多岐にわたるため、図の例では一部の設定項目のみが示されている。オペレータは、各入力欄に所望の数値等を入力することによって、分析条件を設定することができる。
【００３８】
この実施形態では、受付画面Ｇからオペレータが入力するべき設定項目の１つに、移動相として用いるべき混合液の組成条件（具体的には、混合するべき各水溶液の種類、各水溶液の濃度、および、混合比）がある。すなわち、受付画面Ｇには、混合するべき各水溶液の種類の入力欄８１、各水溶液の濃度の入力欄８２、および、混合比の入力欄８３がそれぞれ表示される。オペレータは、各入力欄８１，８２，８３に所望の数値等を入力することによって、移動相として用いるべき混合液の組成条件を設定することができる。なお、各入力欄８１，８２，８３は、オペレータから直接入力を受け付けるものであってもよいし、選択可能な候補を例えばプルダウンメニューに一覧表示して、当該一覧表示された候補のいずれかをオペレータに選択させるものであってもよい。
【００３９】
受付画面Ｇには、画面上にｐＨテーブルＴを表示させる旨の指示を受け付けるアイコン（ｐＨテーブル表示アイコン）８４がさらに表示される。移動相として用いるべき混合液の組成条件を入力するにあたって、オペレータが、このｐＨテーブル表示アイコン８４をクリックした場合、表示制御部２１１は、表示部２０２に、記憶部２００に記憶されたｐＨテーブルＴを、例えばサブウインドウで表示させる（図４）。
なお、記憶部２００に複数種類のｐＨテーブルＴが記憶されている場合、表示制御部２１１は、当該複数のｐＨテーブルＴの各々で規定されている水溶液の組み合わせをプルダウンメニューに一覧表示して、当該一覧表示された組み合わせのいずれかをオペレータに選択させて、当該選択された組み合わせに係るｐＨテーブルＴを表示部２０２に表示させればよい。なお、表示制御部２１１は、送液部１０に貯留されている各水溶液の種類と対応するｐＨテーブルＴを選択して、当該選択したｐＨテーブルＴを表示部２０２に表示させてもよい。あるいは、入力欄８１に情報が入力されている場合、表示制御部２１１は、当該入力されている各水溶液の組み合わせと対応するｐＨテーブルＴを選択して、当該選択したｐＨテーブルＴを表示部２０２に表示させてもよい。あるいは、表示制御部２１１は、記憶部２００に格納されている複数種類のｐＨテーブルＴの全てを表示部２０２に表示させてもよい。
【００４０】
オペレータは、表示されたｐＨテーブルＴを見て、その中にあるｐＨの中から任意のものを選択して当該ｐＨを与えることができる混合液の組成条件（具体的には、混合するべき各水溶液の種類、各水溶液の濃度、および、混合比）を即座に知ることができる。例えば、オペレータが、ｐＨが「2.58」の混合液を所望している場合、図２（ａ）に例示されているｐＨテーブルＴを見れば、10mmol/Lのリン酸水溶液と10mmol/Lのリン酸２水素ナトリウム水溶液とを、混合比５：５で混合すればよいことが即座に判明する。
オペレータが、ｐＨテーブルＴを見ながら、各入力欄８１，８２，８３に必要な情報を入力すると、組成条件指定受付部２１２が、当該指定された組成条件の指定を受け付ける。つまり、組成条件指定受付部２１２は、オペレータから、液体クロマトグラフ分析における移動相として用いるべき混合液の組成条件の指定を受け付ける。
【００４１】
オペレータが全ての設定項目について、入力あるいは選択を完了して、分析条件の登録を指示すると（具体的には、例えば、受付画面Ｇに表示される登録アイコン８５をクリックすることにより分析条件の登録を指示すると）、メソッドファイル管理部２１３は、メソッドファイルＦに新たなレコードを作成して、当該レコードに、受け付けられた分析条件を登録する。これによって、１個の分析条件の設定が完了する。オペレータは、必要に応じて、新たな分析条件を引き続いて設定することができる。
【００４２】
＜３．分析の実行＞
液体クロマトグラフ分析装置１においては、メソッドファイルＦにて登録された分析条件に基づく液体クロマトグラフ分析が実行される。具体的には例えば、オペレータが、メソッドファイルＦに登録された分析条件のいずれかを選択指定して、当該分析条件での液体クロマトグラフ分析の実行を指示すると、分析制御部２２が、当該分析条件に基づいて、液体クロマトグラフ分析装置１の各要素１０，２０，３０，４０を制御して、液体クロマトグラフ分析を実行させる。分析制御部２２の制御下で行われる液体クロマトグラフ分析の流れについて、再び図１を参照しながら説明する。
【００４３】
分析制御部２２は、まず、第１容器群１１ａ〜１１ｅおよび第２容器群１２ａ〜１２ｅの各々から、分析条件で指定された水溶液が貯留されている容器を選択し、当該選択された各容器に貯留されている水溶液を、送液ポンプＰＡ，ＰＢに吸い上げさせる。ただしこのとき、各水溶液の吸い上げ量は、各水溶液の混合比が分析条件で指定されたものとなるように、分析制御部２２により制御される。吸い上げられた各水溶液は、グラジエントミキサー１７において混合され、これによって、分析条件で指定された混合液が調合される。この混合液が、移動相として用いられる。
【００４４】
送液部１０で調製された移動相は、オートサンプラ２０に流入する。分析制御部２２は、オートサンプラ２０を制御して、分析条件で指定された試料を、分析条件で指定された量だけ、移動相中に注入させる。試料が注入された移動相は、次に、分析条件で指定された温度に加熱されたカラムオーブン３０に流入する。分析制御部２２は、カラムオーブン３０内に設けられた流路切替部３１、３３を、移動相が分析条件で指定されたカラムに導かれるような状態に切り替えており、試料が注入された移動相は当該カラムに流入する。試料が移動相の流れに乗ってカラムを通過する過程で、試料中の各成分が時間的に分離される。そして、分離された各成分が、検出部４０にて順次検出され、これによって測定データが取得される。得られた測定データは、制御装置２に送られて記憶部２００に格納され、データ処理部２３にて解析・処理される。
【００４５】
＜Ｂ．第２実施形態＞
＜１．装置構成＞
第２実施形態に係る液体クロマトグラフ分析システム１００ａについて、図５を参照しながら説明する。図５は、液体クロマトグラフ分析システム１００ａの概略構成を示す模式図である。なお、以下の説明においては、先に説明した要素と同じものについては、同じ符号を付すとともに、その説明を省略する。
【００４６】
液体クロマトグラフ分析システム１００ａは、液体クロマトグラフ分析装置１と、これと電気的に接続された制御装置２ａとを備える。
液体クロマトグラフ分析装置１の構成は上述したとおりである。また、制御装置２ａのハードウエア構成も上述した制御装置２と同様であり、パーソナルコンピュータにインストールされた専用の制御・処理ソフトウエアを実行することにより、各種の機能ブロック２１ａ，２２，２３が具現化されている。また、制御装置２と同様、制御装置２ａにも、操作部２０１および表示部２０２が接続されている。
【００４７】
制御装置２ａは、機能ブロックとして、分析条件設定部２１ａ、分析制御部２２、および、データ処理部２３を備える。
分析条件設定部２１ａは、液体クロマトグラフ分析の分析条件（例えばメソッドスカウティングに係る複数の分析条件）の設定を行う機能ブロックであり、分析条件の設定に係る各種の画面を表示部２０２に表示させる表示制御部２１１ａと、移動相として用いるべき混合液のｐＨの指定を受け付けるｐＨ指定受付部２１２ａと、当該混合液の組成条件を特定する組成条件特定部２１２ｂと、メソッドファイルＦの管理を行うメソッドファイル管理部２１３と、を備える。
分析制御部２２およびデータ処理部２３の各機能は、上述したとおりである。
【００４８】
制御装置２ａは、制御装置２と同様、記憶部２００を備える。この記憶装置２００にも、メソッドファイルＦと１以上のｐＨテーブルＴとが記憶される。
【００４９】
＜２．分析条件の設定＞
分析条件設定部２１ａが、分析条件を設定する処理の流れについて、図６を参照しながら説明する。図６は、表示部２０２に表示される画面の構成例である。
【００５０】
オペレータが、操作部２０１を介して、分析条件の設定を開始する旨の指示を入力すると、表示制御部２１１ａは、表示部２０２に、分析条件の設定に係る各種の入力操作をオペレータから受け付けるための受付画面Ｇａを表示させる。
受付画面Ｇａの構成は、上述した受付画面Ｇの構成とほぼ同様である。ただし、受付画面Ｇａでは、上述した受付画面Ｇで表示されていた、各入力欄８２，８３（混合するべき各水溶液の濃度および混合比の各入力欄８２，８３）およびｐＨテーブル表示アイコン８４に代えて、移動相として用いるべき混合液のｐＨを入力するｐＨ入力欄８６が表示される。すなわち、この実施形態では、オペレータは、混合するべき各水溶液の濃度、および、混合比を入力する必要がない。
なお、ｐＨ入力欄８６は、例えば、選択可能な候補（例えば、ｐＨテーブルＴにあるｐＨの値）を例えばプルダウンメニューに一覧表示して、当該一覧表示された候補のいずれかをオペレータに選択させるものとしてもよいし、オペレータから直接入力を受け付けるものとしてもよい。
【００５１】
オペレータが、ｐＨ入力欄８６から所望のｐＨの選択を行うと（あるいは、ｐＨ入力欄８６に所望の値を入力すると）、ｐＨ指定受付部２１２ａが、当該選択（あるいは、入力）されたｐＨの指定を受け付ける。すなわち、ｐＨ指定受付部２１２ａは、オペレータから液体クロマトグラフ分析における移動相として用いるべき混合液のｐＨの指定を受け付ける。
【００５２】
ｐＨ指定受付部２１２ａがｐＨの指定を受け付けると、組成条件特定部２１２ｂが、記憶部２００に記憶されているｐＨテーブルＴ（記憶部２００に複数種類のｐＨテーブルＴが記憶されている場合は、例えば、入力欄８１に入力された各水溶液の組み合わせと対応するｐＨテーブルＴ、あるいは、送液部１０に貯留されている各水溶液の種類と対応するｐＨテーブルＴ）を参照して、指定されたｐＨを与えることができる混合液の組成条件（具体的には、各水溶液の濃度、および、混合比）を特定する。
なお、オペレータがｐＨ入力欄８６に任意のｐＨの値を直接入力できる構成において、オペレータがｐＨテーブルＴにない値を入力した場合、組成条件特定部２１２ｂは、例えば、ｐＨテーブルＴにある値から補間（例えば、線形補間）によって、当該入力されたｐＨを与えることができる混合液の組成条件を算出する。
【００５３】
組成条件特定部２１２ｂによって混合液の組成条件が特定され、さらに、オペレータがｐＨ以外の各種の設定項目について入力あるいは選択を完了して、分析条件の登録を指示すると、メソッドファイル管理部２１３は、メソッドファイルＦに新たなレコードを作成して、当該レコードに、オペレータが入力した分析条件、および、ｐＨテーブルＴを用いて特定された混合液の組成条件を登録する。これによって、１個の分析条件の設定が完了する。オペレータは、必要に応じて、新たな分析条件を引き続いて設定することができる。
【００５４】
＜Ｃ．他の実施形態＞
上記の各実施形態では、例えば、第１容器群１１ａ〜１１ｅには、濃度が互いに異なる水溶液がそれぞれ貯留されているものとしたが、第１容器群１１ａ〜１１ｅのうちの１個に、水が貯留されていてもよい。この場合、水溶液が貯留された容器と水が貯留された容器とからそれぞれ任意の量だけ水および水溶液を吸い上げて混合することによって、任意の濃度の水溶液を得ることができる。この場合、第１容器群は、比較的濃い濃度の水溶液が貯留された容器と水が貯留された容器との２個の容器から構成することができる。第２容器群１２ａ〜１２ｅについても同様である。
【符号の説明】
【００５５】
１  液体クロマトグラフ分析装置
１０  送液部
１１ａ〜１１ｅ  第１容器群
１２ａ〜１２ｅ  第２容器群
１３，１４  脱気ユニット
１５，１６  切替バルブ
１７  グラジエントミキサー
２０  オートサンプラ
３０  カラムオーブン
３１、３３  流路切替部
３２ａ〜３２ｆ  カラム
４０  検出部
４１  検出器
５０  システムコントローラ
２，２ａ  制御装置
２１，２１ａ  分析条件設定部
２１１，２１１ａ  表示制御部
２１２  組成条件指定受付部
２１２ａ  ｐＨ指定受付部
２１２ｂ  組成条件特定部
２１３  メソッドファイル管理部
２２  分析制御部
２３  データ処理部
２０１  操作部
２０２  表示部
Ｔ  ｐＨテーブル
Ｆ  メソッドファイル
Ｇ，Ｇａ  受付画面
８４  ｐＨテーブル表示アイコン
８６  ｐＨ入力欄
１００，１００ａ  液体クロマトグラフ分析システム
【図１】
0006777153.tif 000002
【図２】
0006777153.tif 000003
【図３】
0006777153.tif 000004
【図４】
0006777153.tif 000005
【図５】
0006777153.tif 000006
【図６】
0006777153.tif 000007